(57)【要約】【課題】対象者の肌を挟んで電波を発生する第一の電波発生ユニット及び対象者の肌を押圧して電波を発生する第二の電波発生ユニットにより、人体に刺激を与える種類や部位を拡大しつつ、良好な刺激を与え、汎用性を向上する美顔器具を提供する。【解決手段】本発明の美顔器具は、対象者の肌を挟むように、互いに対向して設けられた複数の電波発生部を有する第一の電波発生ユニットと、対象者の肌を押圧するように、該肌に対して電波を発生する複数の突起部からなる第二の電波発生ユニットとを備える。【選択図】図１
2017184943.tif 000002
【特許請求の範囲】
【請求項１】
対象者の肌を挟むように、互いに対向して設けられた複数の電波発生部を有する第一の電波発生ユニットと、
前記対象者の肌を押圧するように、該肌に対して電波を発生する複数の突起部からなる第二の電波発生ユニットとを備える美顔器具。
【請求項２】
前記第一の電波発生ユニットの肌を挟む角度を調整及び固定をする角度調整部を備える、請求項１に記載の美顔器具。
【請求項３】
前記複数の電波発生部は、干渉波、ラジオ波、又はパルス波のいずれか１つを発生させる、請求項１又は２に記載の美顔器具。
【請求項４】
前記複数の突起部は、ラジオ波又はパルス波を発生させる、請求項１〜３のいずれか一項に記載の美顔器具。
【請求項５】
前記第一の電波発生ユニットは、ＬＥＤ部を備える、請求項１〜４のいずれか一項に記載の美顔器具。
【発明の詳細な説明】
【技術分野】
【０００１】
本発明は、美顔器具に関し、特に、人の肌に刺激を与える美顔器具に関するものである。
【背景技術】
【０００２】
近年、様々な美顔器具が開発されている。特に、美容効果、疲労回復効果、又は痩身効果を得るために、人の肌に電気的な刺激を与える美顔器具が注目されている。
【０００３】
特許文献１は、美容効果を得るために、人の肌に電気的な刺激を与える美顔器具を開示する。この美顔器具は、期待する美容効果が得られるように、一対の腕部と、この一対の腕部に互いに平行に対向して設けた一対の電極と、この一対の電極により肌を挟み込むべく両電極間の距離を増減可能とする挟み込み機構と、を備える。この構造により、特許文献１に係る美顔器具は、一対の電極間に肌を挟み込んだ状態で通電することが可能となり、肌に電気的な刺激を与えることができる。
【先行技術文献】
【特許文献】
【０００４】
【特許文献１】特開２０１１−２００３０７号公報
【発明の概要】
【発明が解決しようとする課題】
【０００５】
しかしながら、特許文献１に開示の発明では、一対の腕部とは独立して一対の電極間の距離を挟み込み機構によって増減可能としており、一対の腕部の距離は所定の距離で固定していた。
【０００６】
このため、一対の腕部は、予め設定した距離以上で人の肌を挟み込むことができず、対応可能な部位が限られてしまうといった問題があった。
【０００７】
また、互いに平行に対向して距離が増減する一対の電極では、人の骨格形状等に起因する凹凸部位や湾曲部位に対して十分な接触状態を確保することが困難となり、所望の美容効果を与えることができず、汎用性に乏しいといった問題があった。
【０００８】
さらに、特許文献１に開示の発明では、挟むことが困難な部分、例えば、頭部といった部分には使用できないことから、肌の部分に合わせた種々の美容効果が得られないといった問題があった。
【０００９】
そこで本発明は、対象者に刺激を与える種類や部位を拡大しつつ、対象者に良好な刺激を与え、汎用性を向上することができる美顔器具を提供することを目的とする。
【課題を解決するための手段】
【００１０】
本発明の美顔器具は、対象者の肌を挟むように、互いに対向して設けられた複数の電波発生部を有する第一の電波発生ユニットと、対象者の肌を押圧するように、該肌に対して電波を発生する複数の突起部からなる第二の電波発生ユニットとを備えるものである。
【００１１】
美顔器具は、第一の電波発生ユニットの肌を挟む角度を調整及び固定をする角度調整部を備えることができる。
【００１２】
複数の電波発生部は、干渉波、ラジオ波、又はパルス波のいずれか１つを発生させることができる。
【００１３】
複数の突起部は、ラジオ波又はパルス波を発生させることができる。
【００１４】
第一の電波発生ユニットは、ＬＥＤ部を備えることができる。
【発明の効果】
【００１５】
本発明の美顔器具によれば、対象者の肌を挟んで電波を発生する第一の電波発生ユニット及び対象者の肌を押圧して電波を発生する第二の電波発生ユニットにより、人体に刺激を与える種類や部位を拡大しつつ、良好な刺激を与え、汎用性を向上することができる。
【図面の簡単な説明】
【００１６】
【図１】本発明の一実施の形態に係る美顔器具を示し、美顔器具を閉じた状態を示す斜視図である。
【図２】本発明の一実施の形態に係る美顔器具を示し、美顔器具を開いた状態を示す斜視図である。
【図３】本発明の一実施の形態に係る美顔器具を示す正面図である。
【図４】本発明の一実施の形態に係る美顔器具を示す背面図である。
【図５】本発明の一実施の形態に係る美顔器具の構成を示すブロック図である。
【図６】本発明の一実施の形態に係る美顔器具の制御部におけるルーチンを示すフロー図である。
【図７】本発明の一実施の形態に係る美顔器具の使用例を示し、（ａ）は第一の電波発生ユニットを対象者の顎部に使用している状態の説明図、（ｂ）は第一の電波発生ユニットを対象者の頬部に使用している状態の説明図である。
【図８】本発明の一実施の形態に係る美顔器具の使用例を示し、（ａ）は第二の電波発生ユニットを対象者の顎部に使用している状態の説明図、（ｂ）は第二の電波発生ユニットを対象者の頭部に使用している状態の説明図である。
【発明を実施するための形態】
【００１７】
次に、本発明の一実施形態に係る美顔器具について、図面を参照して説明する。なお、以下に示す実施形態は本発明の美顔器具における好適な具体例であり、技術的に好ましい種々の限定を付している場合もあるが、本発明の技術範囲は、特に本発明を限定する記載がない限り、これらの態様に限定されるものではない。また、以下に示す実施形態における構成要素は適宜、既存の構成要素等との置き換えが可能であり、かつ、他の既存の構成要素との組み合せを含む様々なバリエーションが可能である。したがって、以下に示す実施の形態の記載をもって、特許請求の範囲に記載された発明の内容を限定するものではない。
【００１８】
図１〜図４に示すように、美顔器具１は、第一の電波発生ユニット２と第二の電波発生ユニット３とを含む。第一の電波発生ユニット２と第二の電波発生ユニット３とは、本体１０に設けられる。本体１０は、正面視略三日月形状を呈しており、厚さ方向において分割することで、第一の本体１１及び第二の本体１２を含む。第一の本体１１と第二の本体１２とは、互いに対向した合わせ面を有するようにヒンジＨを介して回動可能に接続される。第一の本体１１及び第二の本体１２は、この回動により開閉可能である。
【００１９】
第一の電波発生ユニット２は、複数の電波発生部２１ａ、２１ｂ、２２ａ、２２ｂを含む。なお、以下の説明では、これら複数の電波発生部２１ａ、２１ｂ、２２ａ、２２ｂを合わせて電波発生部２０とも称する。電波発生部２０は、それぞれ電極である。
【００２０】
電波発生部２１ａ、２１ｂは、第一の本体１１における合わせ面の少なくとも一部に備えられる。以下の説明では、これら電波発生部２１ａ、２１ｂを合わせて第一の電波発生部２１とも称する。電波発生部２２ａ、２２ｂは、第二の本体１２における合わせ面の少なくとも一部に備えられる。以下の説明では、これら電波発生部２２ａ、２２ｂを合わせて第二の電波発生部２２とも称する。電波発生部２１ａ及び電波発生部２２ａ、並びに電波発生部２１ｂ及び電波発生部２２ｂは、それぞれ互いに対向して備えられる。
【００２１】
第一の電波発生部２１及び第二の電波発生部２２は、それぞれ開閉可能な第一の本体１１及び第二の本体１２における合わせ面の少なくとも一部において互いに対向することにより、対象者の肌を挟む厚さを自由に変更すること、及び対象者の肌を挟んだときに電波発生部２０を肌に良好に接触させることが可能となり、人体に刺激を与える種類や部位を拡大しつつ、良好な刺激を与え、汎用性を向上することができる。
【００２２】
第二の電波発生ユニット３は、複数の突起部３１ａ、３１ｂ、３１ｃ、３２ａ、３２ｂ、３３ｃを含む。なお、以下の説明では、これら複数の突起部３１ａ、３１ｂ、３１ｃ、３２ａ、３２ｂ、３３ｃを合わせて突起部３０とも称する。突起部３０は、それぞれ電極である。
【００２３】
突起部３１ａ、３１ｂ、３１ｃは、第一の本体１１から少なくとも一部が突出する。以下の説明では、これらの突起部３１ａ、３１ｂ、３１ｃを合わせて第一の突起部３１とも称する。突起部３２ａ、３２ｂ、３２ｃは、第二の本体１２から少なくとも一部が突出する。以下の説明では、これらの突起部３２ａ、３２ｂ、３２ｃを合わせて第二の突起部３２とも称する。突起部３１ａ及び３２ａ、突起部３１ｂ及び３２ｂ、並びに突起部３１ｃ及び３２ｃは、それぞれ互いに対向して設けられる。
【００２４】
第一の突起部３１及び第二の突起部３２は、それぞれ開閉可能な第一の本体１１及び第二の本体１２から少なくとも一部が突出するよう対向することにより、対象者の肌を挟むことが困難な部分にも適用することが可能となり、人体に刺激を与える種類や部位を拡大しつつ、良好な刺激を与え、汎用性を向上することができる。
【００２５】
美顔器具１は、複数の電波発生部２１ａ、２１ｂ、２２ａ、２２ｂを含む電波発生部２０から、干渉波、ラジオ波、及びパルス波を発生させることができる。また、発生の際には、干渉波、ラジオ波、及びパルス波のいずれか１つが、電波発生部２０から発生される。
【００２６】
美顔器具１は、複数の突起部３１ａ、３１ｂ、３１ｃ、３２ａ、３２ｂ、３３ｃを含む突起部３０から、ラジオ波及びパルス波を発生させることができる。また、発生の際には、ラジオ波又はパルス波が、突起部３０から発生される。
【００２７】
本発明において、干渉波とは、周波数が１，０００〜１０，０００Ｈｚの電波から選択された２つの異なる周波数の電波による周波数の差により発生する電波である。美顔器具１は、電波発生部２０から干渉波を発生させることにより、筋肉、特に顔に適用した場合には表情筋に加えて深層筋までをも鍛えることが可能となり、痩身効果をもたらすことができる。
【００２８】
本発明において、ラジオ波とは、周波数が０．０３ＭＨｚ〜３００ＭＨｚの電波である。美顔器具１は、電波発生部２０又は突起部３０からラジオ波を発生させることにより、温熱による生体組織の活性化が可能となり、疲労回復効果をもたらすことができる。
【００２９】
本発明において、パルス波とは、個々の１周期は、０．１?１．０ｍｓ（周波数として１?１０ｋＨｚ）であり、バーストとしての１周期は、１０?５０ｍｓ（周波数として０．０２?０．１ｋＨｚ）である。美顔器具１は、電波発生部２０又は突起部３０からパルス波を発生させることにより、肌の表面に塗布された美容液等の液体の成分を、深部まで浸透させることが可能となり、美容効果をもたらすことができる。
【００３０】
また、上述のように、第一の電波発生部２１及び第二の電波発生部２２が対向していること、並びに、第一の突起部３１及び第二の突起部３２が対向していることにより、美顔器具１は、電極パッドを顔の左右に貼り付けることなく、又は、顔全体を覆うことなく、上述の痩身効果、疲労回復効果、及び美容効果をもたらすことができる。
【００３１】
美顔器具１は、第一の電波発生ユニット２にＬＥＤ部を備える。ＬＥＤ部は、１つ以上のＬＥＤを含む。ＬＥＤ部は、第一の本体１１における合わせ面に備えられたＬＥＤ４１と、第二の本体１２における合わせ面に備えられたＬＥＤ４２とを有する。また、ＬＥＤ４１及びＬＥＤ４２は、互いに対向して備えられる。ＬＥＤ部は、赤色ＬＥＤ及び近赤外線ＬＥＤのいずれか一方又は両方である。
【００３２】
本願において、赤色ＬＥＤとは、波長が６４０ｎｍ〜７８０ｎｍの光線を発するＬＥＤである。赤色ＬＥＤは、真皮を活性化することができる。
【００３３】
本願において、近赤外線ＬＥＤとは、波長が７８０〜２０００ｎｍの光線を発するＬＥＤである。近赤外線ＬＥＤは、筋肉を活性化することができる。
【００３４】
美顔器具１は、赤色ＬＥＤ及び近赤外線ＬＥＤを備えることにより、さらなる痩身効果及び美容効果をもたらすことができる。
【００３５】
また、好ましくは、ＬＥＤ４１及びＬＥＤ４２は、電波発生部２１ａと電波発生部２１ｂとの間、電波発生部２２ａと電波発生部２２ｂとの間、に備えられてもよい。この構成により、美顔器具１は、第一の電波発生ユニット２の使用中に、赤色ＬＥＤ及び近赤外線ＬＥＤのいずれか一方又は両方の効果を得ることが可能となり、より効率よく痩身効果及び美容効果をもたらすことができる。
【００３６】
美顔器具１は、第一の本体１１の外表面の略中央において、第一の電波発生ユニット２による肌を挟む角度の調整及び固定をする角度調整部５１を含む。本願において「中央」とは、略中央を意味し、厳密に中央でなくてもよい。
【００３７】
角度調整部５１は、第一の電波発生ユニット２の肌を挟む角度、すなわち、肌を挟む前の第一の電波発生ユニット２が成す角を調整し、調整後の角度で固定することができる。角度調整部５１は、第一の電波発生ユニット２の角度を自由に調整及び設定し、固定できるものであってもよく、又は、第一の電波発生ユニット２が成す角の幅を０．５ｃｍごとに、１ｃｍごとに、若しくは２ｃｍごとに等、間隔を定めて調整及び設定し、固定できるものであってもよい。角度調整部５１は、全く固定しないという設定を含んでもよい。美顔器具１は、角度調整部５１により、あらゆる部分における肌を所望の厚さ等で容易に挟むことができる。また、美顔器具１は、角度調整部５１により、左右のほほ等のように、同程度の厚さの別の箇所の肌を挟む際に、毎回肌を挟む前の第一の電波発生ユニット２の成す角を調整する必要をなくすことができる。
【００３８】
美顔器具１は、美顔器具１の外表面の略中央に、操作表示部６１及び操作入力部７１を含む。また、美顔器具１は、第二の本体１２に本体固定部８２を、第一の本体１１に充電口９１を、含む。
【００３９】
操作表示部６１は、モード表示部６１ａ、レベル表示部６１ｂ、及び充電表示部６１ｃを含む。
【００４０】
モード表示部６１ａは、電波発生部２０又は突起部３０のいずれから電波を発生させるよう設定されているか、及びその際発生する電波の種類、すなわち、電波発生モードについて表示する。この表示は、複数のランプを設け、これら複数のランプを設ける箇所及び光る色を異ならせて、これら複数のランプのうち光るランプを変更することによって行う。モード表示部６１ａにより、対象者は、使用の際、使用すべきなのは第一の電波発生ユニット２であるのか又は第二の電波発生ユニット３であるのかの判断を一目で行え、かつ、発生する電波を容易に知ることができる。
【００４１】
レベル表示部６１ｂは、電波発生部２０又は突起部３０により発生する電波による刺激の強度、すなわち、電波発生レベルについて表示する。この表示は、複数のランプを設ける箇所及び光る色を異ならせて、これら複数のランプのうち光るランプを変更することによって行う。レベル表示部６１ｂにより、対象者は、発生している電波による刺激の程度を容易に知ることができ、また、現在の刺激に対する調整を容易に行うことができる。
【００４２】
充電表示部６１ｃは、充電中であるかどうかを表示するランプである。この表示は、充電をおこなっている間ランプが点灯し、充電が終了するとランプが消灯することによって行う。充電表示部６１ｃにより、対象者は、充電が正しく行われているか、及び、充電が終了したかどうかを容易に知ることができる。
【００４３】
操作入力部７１は、操作入力部７１ａ及び７１ｂを含む。
【００４４】
操作入力部７１ａは、美顔器具１の電源のオン又はオフ用としての機能と、上述の電波発生モードを変更する変更用としての機能とを有する。
【００４５】
これら機能の区別は、例えば対象者が、操作入力部７１ａを長押しすることにより美顔器具１の電源がオン又はオフされ、操作入力部７１ａを短押しすることによりその回数に応じて電波発生モードが変更されるとするなどのように、操作入力部７１ａへの１回あたりの入力時間の違いによって行ってもよい。
【００４６】
電波発生モードの変更は、操作入力部７１ａの短押しによる入力回数に応じて順に、電波発生部２０から干渉波が発生する、電波発生部２０からラジオ波が発生する、電波発生部２０からパルス波が発生する、突起部３０からラジオ波が発生する、突起部３０からパルス波が発生する、の各電波発生モードをループする。
【００４７】
操作入力部７１ｂは、上述の電波発生レベルを変更する機能を有する。電波発生レベルの変更は、刺激の強度を一段階ずつ変更するものであり、操作入力部７１ｂの入力回数に応じて順に、弱レベル、中レベル、強レベル、の各電波発生レベルをループする。操作入力部７１ｂによる変更は、いずれの電波発生モードが設定されているかを問わず、すべての電波発生モードに共通して電波発生レベルの変更を行うことができる。
【００４８】
操作入力部７１ａ及び操作入力部７１ｂにより、対象者は、美顔器具１の電源のオン又はオフ、電波発生部２０又は突起部３０のいずれから電波を発生させるかの設定及びその際発生する電波の種類の設定、並びに、その際発生する電波の強度の設定を、これら２つの入力部ですべて行うことができる。このように、２つの操作入力部７１ａ及び操作入力部７１ｂで３つの設定を行うことにより、美顔器具１は、コンパクト化、及びそれに伴う軽量化が可能となり、より容易に携帯及び把持することができる。
【００４９】
本体固定部８２は、第一の本体１１の合わせ面と第二の本体１２の合わせ面との少なくとも一部が互いに接触した状態で、第一の本体１１及び第二の本体１２のいずれもが回動できないよう、本体１０を固定する。本体固定部８２により固定がされていない場合、第一の本体１１及び第二の本体１２は回動可能となる。本体固定部８２は、第一の本体１１及び第二の本体１２のいずれもが回動できないようにするものであればあらゆるロック機構が可能であり、例えば、スライド式のもの、フック式のもの、ボタン式のものであってもよい。これにより、第一の本体１１及び第二の本体１２が使用していないにも関わらず自然と回動し、例えば携帯時に美顔器具１が不測に開くことを防止することができる。
【００５０】
充電口９１は、第一の本体１１の外表面に備えられる。充電口９１を外部の電源と電気的に接続することにより、美顔器具１を充電することができる。充電口９１により、美顔器具１は、使用時に外部の電源と電気的に接続する必要がなくなり、携帯することができる。
【００５１】
図５に示すように、美顔器具１は、制御部１０１、記憶部１０２、表示駆動部１０３、電波駆動部１０４、及びＬＥＤ駆動部１０５を含む。
【００５２】
制御部１０１は、操作入力部７１ａからの入力に応じて、記憶部１０２に記憶されたプログラムに従い、表示駆動部１０３、電波駆動部１０４、及びＬＥＤ駆動部１０５を制御する。記憶部１０２は、表示駆動部１０３、電波駆動部１０４、及びＬＥＤ駆動部１０５の駆動についてのプログラムを記憶する。表示駆動部１０３は、操作表示部６１を駆動させる。電波駆動部１０４は、電波が発生するよう電波発生部２０及び突起部３０を駆動させる。
【００５３】
次に、図６のフロー図を参照しつつ、制御部１０１による処理ルーチンを説明する。
【００５４】
ステップＳ１において、制御部１０１は、対象者による操作入力部７１ａの長押しにより美顔器具１の電源を投入するとともに、起動し、ステップＳ２に進む。
【００５５】
ステップＳ２において、制御部１０１は、電波駆動部１０４の初期設定を等のイニシャライズを実行し、ステップＳ３に進む。初期設定とは、前回使用時の各種設定に対して、例えば電波駆動部１０４により電波発生部２０から干渉波を弱レベルで発生させることである。
【００５６】
ステップＳ３において、制御部１０１は、対象者による操作入力部７１ａへの入力があったか否かを判定する。制御部１０１は、入力があったと判定した場合（ＹＥＳ）、ステップＳ４に進む。制御部１０１は、入力があったと判定しなかった場合（ＮＯ）、ステップＳ６に進む。
【００５７】
ステップＳ４において、制御部１０１は、ステップＳ３における操作入力部７１ａへの入力の回数に応じて、電波発生モードを変更する。具体的には、制御部１０１は、操作入力部７１ａへの入力回数に応じて、初期設定から順に、電波発生部２０から干渉波が発生する、電波発生部２０からラジオ波が発生する、電波発生部２０からパルス波を発生する、突起部３０からラジオ波を発生する、突起部３０からパルス波を発生する、の各電波発生モードをループする。制御部１０１は、操作入力部７１ａからの入力が所定時間（例えば、１秒）なかったときに、入力が終了したものとして、終了判断時の電波発生モードで電波駆動部１０４の駆動を設定する。
【００５８】
ステップＳ５において、制御部１０１は、後述のステップＳ９において行われる経過時間のカウントについて、このカウントが開始されている場合にはそのカウントをリセットし、ステップＳ６に進む。
【００５９】
ステップＳ６において、制御部１０１は、対象者による操作入力部７１ｂへの入力があったか否かを判定する。制御部１０１は、入力があったと判定した場合（ＹＥＳ）、ステップＳ７に進む。制御部１０１は、入力があったと判定しなかった場合（ＮＯ）、ステップＳ８に進む。
【００６０】
ステップＳ７において、制御部１０１は、ステップＳ６における操作入力部７１ｂへの入力の回数に応じて、電波発生レベルを変更する。変更は、初期設定から順に、弱レベル、中レベル、強レベル、の各電波発生レベルをループする。制御部１０１は、操作入力部７１ｂからの入力が所定時間（例えば、１秒）なかったときに、入力が終了したものとして、終了判断時の電波発生モードで電波駆動部１０４の駆動を設定する。
【００６１】
ステップＳ８において、制御部１０１は、ステップＳ２〜ステップＳ７における処理により決定された、電波発生モード、及び電波発生レベルについての設定に基づいて電波駆動部１０４の駆動を開始させ、ステップＳ９に進む。なお、設定毎に順次切り替えることにより、このステップはなくてもよい。
【００６２】
ステップＳ９において、制御部１０１は、経過時間についてのカウントを開始し、ステップ１０に進む。
【００６３】
ステップＳ１０において、制御部１０１は、経過時間が所定の期間（例えば、１０分）に達したかどうかの判定を行う。制御部１０１は、経過時間が所定の期間に達したと判定した場合、本ルーチンを終了し、電源をオフとする。制御部１０１は、経過時間が所定の期間に達したと判定しなかった場合、ステップＳ３に戻る。
【００６４】
図７に示すように、第一の電波発生ユニット２は、対象者の肌を挟むようにして使用される。このように、第一の電波発生ユニット２で肌を挟むことにより、第一の電波発生ユニット２における電波発生部２０から発生する電波により肌に刺激が与えられる。また、美顔器具１は、第一の電波発生ユニット２が使用される際に、同時にＬＥＤ部におけるＬＥＤ４１及びＬＥＤ４２が使用されてもよい。
【００６５】
図８に示すように、第二の電波発生ユニット３は、対象者の肌を押圧するようにして使用される。ここでいう「押圧」とは、通電する程度の肌への接触を含む。このように、第二の電波発生ユニット３を通電する程度に肌に接触させることにより、第二の電波発生ユニット３における突起部３０から発生する電波により肌に刺激が与えられる。第二の電波発生ユニット３は、肌が露出している部分における使用のみならず、例えば頭部などの、肌が全く露出していない、又は一部しか露出していない部分への使用も可能である。
【００６６】
なお、上述の実施形態は、本発明の代表的な実施形態を単に例示したものにすぎない。したがって、本発明の本質的部分を変更しない範囲において、上述の実施形態に対して種々の変形又は修飾が施されてもよい。
【００６７】
また、本発明の課題を解決するための手段を実現する、作用的又は機能的に表現されている各構成は、上述の実施形態において開示されている具体的構成の他、これらの構成と同様の作用又は機能が実現可能ないかなる構成をも含む。
【符号の説明】
【００６８】
１      美顔器具
１０    本体
１１    第一の本体
１２    第二の本体
２      第一の電波発生ユニット
２０    電波発生部
２１    第一の電波発生部
２１ａ  電波発生部
２１ｂ  電波発生部
２２    第二の電波発生部
２２ａ  電波発生部
３      第二の電波発生ユニット
３０    突起部
３１    第一の突起部
３１ａ  突起部
３１ｂ  突起部
３１ｃ  突起部
３２    第二の突起部
３２ａ  突起部
４０    ＬＥＤ部
４１    ＬＥＤ
４２    ＬＥＤ
５１    角度調整部
６１    操作表示部
６１ａ  モード表示部
６１ｂ  レベル表示部
６１ｃ  充電表示部
７１    操作入力部
７１ａ  操作入力部
７１ｂ  操作入力部
８２    本体固定部
９１    充電口
１０１  制御部
１０２  記憶部
１０３  表示駆動部
１０４  電波駆動部
１０５  ＬＥＤ駆動部
【図１】
2017184943.tif 000003
【図２】
2017184943.tif 000004
【図３】
2017184943.tif 000005
【図４】
2017184943.tif 000006
【図５】
2017184943.tif 000007
【図６】
2017184943.tif 000008
【図７】
2017184943.tif 000009
【図８】
2017184943.tif 000010